【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
第1ユーザデバイスに宛てるための第１アドレスを用いて、初期広告をコンピュータシステムよって前記第１ユーザデバイスに提供する段階と、
前記第1ユーザデバイスから応答をコンピュータシステムによって受信する段階と、
ユーザから受信したデバイスIDに宛てた二次コンテンツをコンピュータシステムによって生成する段階と、
応答アドレスとして前記デバイスIDを用いて、二次コンテンツをコンピュータシステムによってモバイルユーザデバイスに提供する段階とを具備し、
前記初期広告は、広告主に関連するとともに、前記広告主に関連するコンテンツと前記初期広告に関連する二次コンテンツを受信することを目的として応答するための誘因とを含み、前記二次コンテンツは、前記初期広告が前記第１ユーザデバイスに提供される際の形式とは異なっている二次形式であり、前記誘因は、モバイルユーザデバイスによって用いられる通信プロトコルを介する前記モバイルユーザデバイスへの前記二次コンテンツの配信を容易にし、
前記応答は、前記第１ユーザデバイスとは異なるデバイスである前記モバイルユーザデバイスのデバイスIDを含み、前記デバイスIDは、前記第１アドレスと異なり、
前記二次コンテンツは、二次形式で生成されるとともに前記二次コンテンツ内のアクショナブルコンテンツを含み、
前記二次コンテンツは、その後のアクションで前記第２ユーザデバイスに保存できることを特徴とするコンピュータ実装方法。
【請求項２】
デバイスIDに関連する前記第２ユーザデバイスにクーポンを提供する段階を更に具備し、
前記クーポンは、前記デバイスに提供される二次コンテンツであることを特徴とする請求項１に記載の方法。
【請求項３】
前記デバイスIDは、ショートメッセージサービス(SMS)のアドレスであり、前記二次コンテンツは、前記ユーザから受信した前記デバイスIDに宛てたショートメッセージサービスのメッセージであることを特徴とする請求項１に記載の方法。
【請求項４】
前記デバイスIDは、マルチメディアメッセージングサービス(MMS)のアドレスであり、前記二次コンテンツは、前記ユーザから受信した前記デバイスIDに宛てたマルチメディアメッセージングサービスのメッセージであることを特徴とする請求項１に記載の方法。
【請求項５】
前記二次コンテンツは、前記ユーザに提供された前記初期広告のフォーマット変換を含むことを特徴とする請求項１に記載の方法。
【請求項６】
前記応答は、前記二次形式で前記初期広告を受信するための要求を含むことを特徴とする請求項１に記載の方法。
【請求項７】
前記デバイスIDを用いて前記第２ユーザデバイスに対する追加コンテンツを提供する段階を更に具備し、
前記追加コンテンツは、追加広告コンテンツを含むことを特徴とする請求項１に記載の方法。
【請求項８】
前記追加コンテンツは、前記追加コンテンツを要求する前記ユーザから受信した前記応答に基づき、前記第２ユーザデバイスに提供されることを特徴とする請求項１に記載の方法。
【請求項９】
一又は二以上のコンピュータによって実行されると、前記一又は二以上のコンピュータに処理をさせるコンピュータプログラム命令からなるソフトウェアによって符号化されたコンピュータ記憶装置であって、
前記処理は、
第1ユーザデバイスに宛てるための第１アドレスを用いて、初期広告を前記第１ユーザデバイスに提供するステップと、
前記第１ユーザデバイスから応答を受信するステップと、
ユーザから受信したデバイスIDに宛てた二次コンテンツを生成するステップと、
応答アドレスとして前記デバイスIDを用いて、メッセージをモバイルユーザデバイスに提供するステップとを具備し、
前記初期広告は、広告主に関連するとともに、前記広告主に関連する情報と前記初期広告に関連する二次コンテンツを受信することに応答するための誘因を含み、前記二次コンテンツは、前記初期広告が前記第１ユーザデバイスに提供される際の形式とは異なっている二次形式であり、前記誘因は、モバイルユーザデバイスによって用いられる通信プロトコルを介する前記モバイルユーザデバイスへの前記二次コンテンツの配信を容易にし、
前記応答は、前記第１ユーザデバイスとは異なるデバイスである前記モバイルユーザデバイスのデバイスIDを含み、前記デバイスIDは、前記第１アドレスと異なり、
前記二次コンテンツは、二次形式で生成されるとともにアクショナブルコンテンツを含み、
前記二次コンテンツは、その後のアクションで前記デバイスに保存できる形式であることを特徴とするコンピュータ記憶装置。
【請求項１０】
前記命令は、
デバイスIDに関連する前記第２ユーザデバイスにクーポンを提供するステップを具備する動作を前記処理システムに更に実施させることができ、
前記クーポンは、前記デバイスに提供される二次コンテンツであることを特徴とする請求項９に記載の装置。
【請求項１１】
前記デバイスIDは、ショートメッセージサービス(SMS)のアドレスであり、前記二次コンテンツは、前記ユーザから受信した前記デバイスIDに宛てたショートメッセージサービスのメッセージであることを特徴とする請求項９に記載の装置。
【請求項１２】
前記デバイスIDは、マルチメディアメッセージングサービス(MMS)のアドレスであり、前記二次コンテンツは、前記ユーザから受信した前記デバイスIDに宛てたマルチメディアメッセージングサービスのメッセージであることを特徴とする請求項９に記載の装置。
【請求項１３】
前記二次コンテンツは、前記ユーザに提供された前記初期広告のフォーマット変換を含むことを特徴とする請求項９に記載の装置。
【請求項１４】
前記応答は、テキストメッセージ形式で前記初期広告を受信するための要求を含むことを特徴とする請求項９に記載の装置。
【請求項１５】
前記命令は、前記デバイスIDを用いて前記第２デバイスに対する追加コンテンツを提供するステップを具備する動作を前記処理システムに更に実施させることができ、
前記追加コンテンツは、追加広告を含むことを特徴とする請求項９に記載の装置。
【請求項１６】
前記追加コンテンツは、前記追加コンテンツを要求する前記ユーザから受信した前記応答に基づき、前記デバイスに提供されることを特徴とする請求項９に記載の装置。
【請求項１７】
一又は二以上のコンピュータと命令を保存する一又は二以上の記憶装置とを含むシステムであって、
前記一又は二以上のコンピュータは、
第1ユーザデバイスに宛てるための第１アドレスを用いて、初期形式で第１ユーザデバイスに初期広告を提供することができる初期広告配信モジュールと、
命令に基づき、前記第１ユーザデバイスから応答を受信することができる二次広告配信モジュールとを具備し、
前記初期広告は、広告主に関連するとともに、前記広告主に関連するコンテンツと前記初期広告に関連する二次コンテンツを要求するための前記命令を含み、前記二次コンテンツは、前記初期広告が前記第１ユーザデバイスに提供される際の初期形式とは異なっている二次形式であり、前記誘因は、モバイルユーザデバイスによって用いられる通信プロトコルを介する前記モバイルユーザデバイスへの前記二次コンテンツの配信を容易にし、
前記応答は、前記第１ユーザデバイスとは異なるデバイスである前記モバイルユーザデバイスのモバイルデバイスIDを含み、
前記二次広告配信モジュールは、前記応答を受信することに基づき、前記モバイルユーザデバイスに関連する前記デバイスIDに宛てた前記二次コンテンツを提供することができ、
前記二次コンテンツは、前記二次形式で生成及び提供され、アクショナブルコンテンツを含み、その後のアクションで前記モバイルユーザデバイスに保存できることを特徴とするシステム。
【請求項１８】
前記二次コンテンツは、前記モバイルデバイスIDに関連する第２ユーザデバイスに提供されたテキストメッセージのクーポンを更に含むことを特徴とする請求項１７に記載のシステム。
【請求項１９】
前記デバイスIDは、ショートメッセージサービス(SMS)のアドレスであり、前記二次コンテンツは、ショートメッセージサービス形式を用いるテキストメッセージであり、
前記テキストメッセージは、ユーザから受信した前記モバイルデバイスIDに宛てたものであることを特徴とする請求項１７に記載のシステム。
【請求項２０】
前記デバイスIDは、マルチメディアメッセージングサービス(MMS)のアドレスであり、前記二次コンテンツは、マルチメディアメッセージングサービス形式を用いるメッセージであり、
前記メッセージは、ユーザから受信した前記モバイルデバイスIDに宛てたものであることを特徴とする請求項１７に記載のシステム。
【請求項２１】
初期広告変換モジュールは、二次コンテンツを生成するために前記初期広告を前記初期形式から前記二次形式に変換するとともに、前記二次広告配信モジュールに前記二次コンテンツを提供することができることを特徴とする請求項１７に記載のシステム。